(57)【要約】【課題】使用目的に応じて、設置した状態のまま保護カバーを着脱できる監視用テレビカメラ装置を提供する。【解決手段】設置面Ｂに設置した監視用テレビカメラ装置１の基台２に対して、カメラ７を覆うドームカバー１１を着脱可能に取り付けることができるから、使用目的に応じてドームカバー１１を取り付けたり取り外したりして使い勝手を向上できる。また、ドームカバー１１を取り外したとき、基台２と基盤３間を、該基台２に対して着脱可能なカバーにより覆うから、浮遊する塵埃等の侵入を防止できるとともに、基台２と基盤４間に段差を生じることなく連続して外観意匠上見栄えが良くなる。チルト軸６の回動角の切り換えは、ドームカバー１１の着脱に基づいて自動的に行なわれ、ドームカバー１１を取り外してカバー２１を取り付けたときには撮像範囲が広がる大きな回動角に切り換わる。【選択図】図２
2006074657.tif 000002
【特許請求の範囲】
【請求項１】
設置面に設置する基台に回動可能に基盤を取り付け、該基盤に監視用テレビカメラを保持するチルト軸を取り付けて、前記基盤及びチルト軸の回動を遠隔制御できるようにした監視用テレビカメラ装置において、
前記設置面に設置した基台に対して、前記監視用テレビカメラを覆う保護カバーを着脱できるようにしたことを特徴とする監視用テレビカメラ装置。
【請求項２】
前記保護カバーを取り外したとき、前記基台と基盤間を該基台に対して着脱可能なカバーにより覆うことを特徴とする請求項１に記載の監視用テレビカメラ装置。
【請求項３】
前記保護カバーの着脱を検出するセンサを設け、該センサの検出信号により前記チルト軸の回動角を、予め設定した回動角に切り換えるようにしたことを特徴とする請求項１又は請求項２に記載の監視用テレビカメラ装置。
【請求項４】
前記保護カバー及びカバーの基台に対する着脱は、バヨネット方式により行なうことを特徴とする請求項１乃至請求項３の何れかに記載の監視用テレビカメラ装置。
【発明の詳細な説明】
【技術分野】
【０００１】
本発明は、監視用テレビカメラ装置に関するものである。
【背景技術】
【０００２】
設置面に設置する基台に回動可能に基盤を取り付け、該基盤に監視用テレビカメラを保持するチルト軸を取り付けて、基盤及びチルト軸の回動を遠隔制御できるようにした監視用テレビカメラ装置は、基台に対して監視用テレビカメラを保護するため保護カバーを取り付けたり、テレビカメラのレンズの指向方向を目立たなくするためいわゆるスモークカバーを取り付けたりできるようにしている。一方、撮像範囲を広げるため保護カバーを基台から取り外して使用することもある。
【０００３】
しかしながら、従来の監視用テレビカメラ装置は、基台を設置面に設置した取り付け状態のまま、上記保護カバーやスモークカバーを取り外したり取り付けたりすることはできなかった。従って、監視用テレビカメラ装置全体を設置面から取り外さなければ、保護カバー等を基台から取り外したり取り付けたりすることはできないといういう問題点があった。
【特許文献１】なし
【発明の開示】
【発明が解決しようとする課題】
【０００４】
解決しようとする問題点は、使用目的に応じて、設置した状態のまま保護カバーを着脱できる監視用テレビカメラ装置を提供することである。
【課題を解決するための手段】
【０００５】
上記問題点を解決するための請求項１に記載の監視用テレビカメラ装置は、設置面に設置する基台に回動可能に基盤を取り付け、該基盤に監視用テレビカメラを保持するチルト軸を取り付けて、前記基盤及びチルト軸の回動を遠隔制御できるようにした監視用テレビカメラ装置において、前記設置面に設置した基台に対して、前記監視用テレビカメラを覆う保護カバーを着脱できるようにしたことを特徴とする。
【０００６】
請求項２に記載の監視用テレビカメラ装置は、請求項１に記載の構成において、前記保護カバーを取り外したとき、前記基台と基盤間を該基台に対して着脱可能なカバーにより覆うことを特徴とする。
【０００７】
請求項３に記載の監視用テレビカメラ装置は、請求項１又は請求項２に記載の構成において、前記保護カバーの着脱を検出するセンサを設け、該センサの検出信号により前記チルト軸の回動角を、予め設定した回動角に切り換えるようにしたことを特徴とする。
【０００８】
請求項４に記載の監視用テレビカメラ装置は、請求項１乃至請求項３の何れかに記載の構成において、前記保護カバー及びカバーの基台に対する着脱は、バヨネット方式により行なうことを特徴とする。
【発明の効果】
【０００９】
請求項１に記載の監視用テレビカメラ装置によれば、設置面に設置した状態の監視用テレビカメラ装置の基台に対して、監視用テレビカメラを覆う保護カバーを着脱できるから、使用目的に応じて保護カバーを取り付けたり取り外したりして使い勝手を向上できる。
【００１０】
請求項２に記載の監視用テレビカメラ装置によれば、保護カバーを取り外したとき、基台と基盤間を、該基台に対して着脱可能なカバーにより覆うから、塵埃等の侵入を防止できるとともに、基台と基盤間が段差なく連続して外観意匠上見栄えが良くなる。
【００１１】
請求項３に記載の監視用テレビカメラ装置によれば、保護カバーの着脱を検出するセンサを設け、該センサの検出信号により前記チルト軸の回動角を、予め設定した回動角に切り換えることができる。従って、保護カバーを取り外してカバーを取り付けたときには撮像範囲が広がる大きな回動角に切り換え、カバーを取り外して保護カバーを取り付けたときには撮像範囲が狭まる小さな回動角に切り換えて、保護カバーの曲率により撮像画像が歪むのを回避して、監視用テレビカメラ装置を効率的に使用することができる。
【００１２】
請求項４に記載の監視用テレビカメラ装置によれば、保護カバー及びカバーの基台に対する着脱はバヨネット方式により行なうから、着脱操作を簡単かつ容易に行なうことができる。
【発明を実施するための最良の形態】
【００１３】
使用目的に応じて保護カバーを着脱できる監視用テレビカメラ装置の使い勝手を向上するという目的を、設置面に設置した状態で保護カバーを着脱できるように監視用テレビカメラ装置を構成することで実現した。
【実施例】
【００１４】
本発明の実施例について図面を参照して説明する。図１は実施例に係る監視用テレビカメラ装置１の正面図である。天井等に設けられた設置面Ｂに円筒形の基台２が設置されている。該基台２の内部には、回動軸３が設けられている。該回動軸３は、ステッピングモータを用いた駆動機構（図示せず）により駆動され所定角度範囲を正逆回動する。回動軸３には、基盤４が固定されている。該基盤４には、一対の軸支ブラケット５，５が設けられている。
【００１５】
軸支ブラケット５，５間には、上記回動軸３に対して直角にチルト軸６が軸支されている。チルト軸６には、監視用テレビカメラ（以下、単にカメラという。）７が固定されている。チルト軸６は、ステッピングモータを用いた駆動機構（図示せず）により駆動され所定角度範囲を正逆回動する。これにより、カメラ７のチルト方向の撮像範囲が規定される。上記回動軸３及びチルト軸６を駆動する各ステッピングモータは、図示しないリモートコントローラの制御信号を受信する受信部８を備えた制御回路９により制御される。また、カメラ７が撮像したテレビ画像は、図示しない信号ケーブルを介して監視用モニタに表示される。
【００１６】
上記監視用テレビカメラ装置１は、図１に示す保護カバーであるドームカバー１１を取り外して撮像範囲を広げた形態と、図２に示すドームカバー１１を取り付けた形態で使用される。ドームカバー１１の基部の円筒部１２は半透明に形成され、ドーム形状部１３は透明に形成されている。ドームカバー１１をスモークカバーとして、カメラ７のレンズの指向方向を目立たなくするすることもある。
【００１７】
図３に示すように、ドームカバー１１の円筒部１２の端面１２ａには、１２０度角間隔で３個の係合片１４が一体成形されている。各係合片１４には、係入溝１５が円筒部１２の端面１２ａと平行に形成されている。係合片１４の円周方向の先端部には、係止凹部１６が形成されている。また、各係合片１４には突起１４ａが一体成形されている。該突起１４ａは、ドームカバー１１の着脱を検出するリミットスイッチＬＳをオン若しくはオフさせる。
【００１８】
一方、図４に示すように、基台２のドームカバー装着面２ａには、ドームカバー１１の係合片１４を係合する係合孔１７が１２０度角間隔で３個形成されている。その内の２個の係合孔１７には、上記受信部８を避けて円弧形の嵌入溝１８がそれぞれ連成されている。また、各係合孔１７には、嵌入溝１８と逆方向にドームカバー装着面２ａの下面に、係合片１４が係合する係合溝１９が形成されている。係合溝１９の奥端部には、係止凹部１６に嵌まる係止突部２０が形成されている。そして、何れか１個の係合孔１７の係合溝１９に対応する部位に、上記リミットスイッチＬＳが基台２に固定されて配設されている。
【００１９】
基台２のドームカバー装着面２ａに対するドームカバー１１の取り付けは、上記係合孔１７に係合片１４を係合させてドームカバー１１を回動させ、該係合片１４の係入溝１５にドームカバー装着面２ａを係入させるとともに、係合片１４を係合溝１９に係合させるバヨネット方式により行なう。このとき、係合片１４の係止凹部１６に係合溝１９の係止突部２０が嵌まって、係合片１４の抜け外れが阻止される。
【００２０】
そして、リミットスイッチＬＳが配設された係合溝１９に係合する係合片１４の突起１４ａにより、リミットスイッチＬＳがオン若しくはオフして、ドームカバー１１の基台２に対する着脱が検出される。リミットスイッチＬＳのオン・オフ信号は、制御回路９に入力され、これに基づいて制御回路９はチルト軸６の回動角を予め設定した回動角に切り換える。
【００２１】
チルト軸６の回動角は、ドームカバー１１を取り付けた場合は、ドームカバー１１を取り外してカバー２１を取り付けた場合よりも小さく設定されている。これは、ドームカバー１１のドーム形状部１３の曲率により撮像画像が歪むのを回避するためである。ドームカバー１１を取り外した場合は、撮像範囲が広がる回動角に設定されている。このように、チルト軸６の回動角の切り換えは、ドームカバー１１の着脱により自動的に行なわれる。
【００２２】
基台２からドームカバー１１を取り外した状態では、該基台２と基盤３間にドームカバー装着面２ａに形成した係合孔１７及び円弧形の嵌入溝１８が露出してしまう。また、基台２と基盤４間に段差を生じる。このため、図５に示すようなリング形のカバー２１を取り付ける。カバー２１は、ドームカバー装着面２ａに形成した係合孔１７に対応する３個の係合片２２が形成されている。係合片２２は突起が形成されていない点以外は、ドームカバー１１の係合片１４と同一形状で係入溝２３及び係止凹部２４が形成され、その内の２個には円弧形の嵌入溝１８に嵌入する円弧形の嵌入突条２５が連成されている。
【００２３】
基台２のドームカバー装着面２ａに対するカバー２１の取り付けは、上記ドームカバー１１と同様、基台２の係合孔１７に係合片２２を係合させてカバー２１を回動させ、該係合片２２の係入溝２３にドームカバー装着面２ａを係入させるとともに、係合片２２を係合溝１９に係合させるバヨネット方式により行なう。カバー２１には、基台２に対する回動操作を容易にする指掛け突起２６が形成されている。
【００２４】
上記に説明した監視用テレビカメラ装置１は、設置面Ｂに設置した状態で基台２に対して、カメラ７を覆うドームカバー１１を着脱できるから、使用目的に応じてドームカバー１１を取り付けたり取り外したりして使い勝手を向上できる。また、ドームカバー１１を取り外したとき、基台２と基盤３間を、該基台２に対して着脱可能なカバー２１により覆うから、露出した係合孔１７及び円弧形の係入溝１８から塵埃等の侵入を防止できるとともに、基台２と基盤４間が段差を生じることなく連続して、外観意匠上見栄えが良くなる。
【００２５】
さらに、チルト軸６の回動角の切り換えは、ドームカバー１１の着脱に基づいて自動的に行なわれ、ドームカバー１１を取り外してカバー２１を取り付けたときには撮像範囲が広がる大きな回動角に切り換わる。また、カバー２１を取り外してドームカバー１１を取り付けたときには撮像範囲が狭まる小さな回動角に切り換わるから、ドームカバー１１の曲率により撮像画像が歪むのを回避して、監視用テレビカメラ装置１を効率的に使用することができる。そして、ドームカバー１１及びカバー２１の基台２に対する取り付け取り外しはバヨネット方式により行なうから、その操作を簡単かつ容易に行なうことができる。
【図面の簡単な説明】
【００２６】
【図１】カバーを取り付けた状態の監視用テレビカメラ装置の正面図である。
【図２】ドームカバーを取り付けた状態の監視用テレビカメラ装置の斜視図である。
【図３】ドームカバーの斜視図である。
【図４】カバーを取り外した状態の監視用テレビカメラ装置の底面図である。
【図５】カバーの裏面図である。
【符号の説明】
【００２７】
１  監視用テレビカメラ装置
２  基台
４  基盤
６  チルト軸
７  カメラ
１１  ドームカバー
１４，２２  係合片
１４ａ  突起
１５，２３  係入溝
１７  係合孔
１９  係合溝
２１  カバー
ＬＳ  リミットスイッチ
Ｂ  設置面
【図１】
2006074657.tif 000003
【図２】
2006074657.tif 000004
【図３】
2006074657.tif 000005
【図４】
2006074657.tif 000006
【図５】
2006074657.tif 000007